(57)【要約】【課題】  周波数帯域のセットに対して一連のシンボルにより構成されるデジタルメッセージを対応させることを可能にする周波数変調方法を提供する。【解決手段】  デジタルメッセージの各シンボルには、所定のシンボル値のセットから１つのシンボル値のみが割り当てられる。この周波数変調方法では、少なくとも２つのシンボル伝送チャンネルが定められ、各シンボル伝送チャンネルは、周波数帯域のセットから選択される周波数帯域のサブセットにより構成され、シンボル伝送チャンネルの各周波数帯域は、少なくとも１つの選択された周波数帯域において及び／又はシンボル値に対する周波数帯域の割当てにおいて定義されたシンボル伝送チャンネルが互いに異なるように、シンボル値のセットのシンボル値に対して１対１で割り当てられる。さらに、定義されたシンボル伝送チャンネルは、それぞれ、各シンボル伝送チャンネルのチャンネル割当方式に従って、デジタルメッセージの単一のシンボル値により連続的に変調される。【選択図】  図６
2005304029.tif 000002
【特許請求の範囲】
【請求項１】
それぞれのシンボルに所定のシンボル値のセットから１つのシンボル値が割り当てられ、一連のシンボルにより構成されるデジタルメッセージを周波数帯域のセットに対応させる周波数変調方法において、
上記周波数帯域のそれぞれが上記シンボル値のセットのシンボル値に割り当てられ、該周波数帯域のセットから選択される周波数帯域のサブセットにより構成されるシンボル伝送チャンネルのうちの少なくとも２つのシンボル伝送チャンネルを、少なくとも１つの選択された周波数帯域において及び／又はシンボル値に対する周波数帯域の割当てにおいて互いに異なるように、１対１で定義するステップと、
上記定義されたシンボル伝送チャンネルのそれぞれを、各シンボル伝送チャンネルの周波数帯域に対して定められた割当てに従って、上記デジタルメッセージの単一のシンボル値によって連続的に変調するステップとを有する周波数変調方法。
【請求項２】
上記定義されたシンボル伝送チャンネルを変調するための使用順序を定めるステップと、
上記定められた使用順序に従って、各シンボル伝送チャンネルを連続的に変調するステップとをさらに有する周波数変調方法。
【請求項３】
上記デジタルメッセージ内のシンボル数が上記定義されたシンボル伝送チャンネルの数を超える場合、該定義されたシンボル伝送チャンネルを再使用して、該デジタルメッセージのシンボル値による変調を行うことを特徴とする請求項１又は２に記載の周波数変調方法。
【請求項４】
上記定義されたシンボル伝送チャンネルは、該定義されたシンボル伝送チャンネルをデジタルメッセージの最初のシンボル値で変調するのに使用された順序で再使用されることを特徴とする請求項３に記載の周波数変調方法。
【請求項５】
上記定義されたシンボル伝送チャンネルは、該定義されたシンボル伝送チャンネルを上記デジタルメッセージの最初のシンボル値で変調するのに使用された順序とは異なる順序で再使用されることを特徴とする請求項３に記載の周波数変調方法。
【請求項６】
単一のシンボル値による１つの定義されたシンボル伝送チャンネルの変調は、ベースバンド整形パルス信号を、それぞれの信号シンボル値に割り当てられた各シンボル伝送チャンネルの周波数帯域にアップコンバートすることにより行われることを特徴とする請求項１乃至５のいずれか１項に記載の周波数変調方法。
【請求項７】
上記ベースバンド整形パルス信号の帯域幅は、アップコンバートされる周波数帯域に対して定められた帯域幅に対応することを特徴とする請求項６に記載の周波数変調方法。
【請求項８】
１つの周波数帯域に対して定められた２つのサブチャンネルの位相角が異なるように、上記周波数帯域のセットにおける１つの周波数帯域について少なくとも２つのサブチャンネルが定められることを特徴とする請求項１乃至７のいずれか１項に記載の周波数変調方法。
【請求項９】
周波数偏移変調送信機用及び周波数偏移変調受信機用の変換コントローラにおいて、
各シンボル伝送チャンネルが周波数帯域のセットから選択される周波数帯域のサブセットにより構成されるように、少なくとも２つのシンボル伝送チャンネルを定義するシンボル伝送チャンネル定義手段と、
上記定義されたシンボル伝送チャンネルが、少なくとも１つの選択された周波数帯域において及び／又はシンボル値に対する周波数帯域の割当てにおいて互いに異なるように、１対１の関係で該シンボル伝送チャンネルの各周波数帯域を該シンボル値のセットのシンボル値に割り当てる割当手段と、
発振周波数を、各シンボル伝送チャンネルの変調に使用される周波数帯域の中心周波数に調整するように、発振器に制御信号を出力する出力手段とを備える変換コントローラ。
【請求項１０】
上記シンボル伝送チャンネル定義手段は、さらに、上記それぞれの周波数帯域に対して異なる位相角を有する少なくとも２つのサブチャンネルを定めるサブチャンネル定義手段を備えることを特徴とする請求項９に記載の変換コントローラ。
【請求項１１】
上記出力手段は、上記サブチャンネルに対して定められた位相角に応じて、上記発振器の位相を制御することを特徴とする請求項１０に記載の変換コントローラ。
【請求項１２】
請求項９乃至１１のいずれか１項に記載の変換コントローラを備える送信機。
【発明の詳細な説明】
【技術分野】
【０００１】
本発明は、マルチバンド通信方式における周波数偏移変調に関する。
【背景技術】
【０００２】
周波数偏移（frequency shift keying、以下、ＦＳＫと略す）変調は、デジタル変調方式である。例えば、簡単な２値周波数偏移（binary frequency shift keying）変調では、搬送波周波数を２つの周波数間でシフトすることによって、バイナリデジタルベースバンドメッセージの２つのシンボル値を変調する。シンボルという用語は、メッセージの要素を表す。シンボルは、特定の値、すなわち基礎となるデジタル変調方式によって定まる所謂シンボル値しかとることができない。メッセージとは、ある情報を表すシンボルの集合である。
【０００３】
ＦＳＫ変調信号の復調は、受信周波数を順に検出して、これらを元のそれぞれのシンボル値に変換する受信機によって行われる。復調は、コヒーレントに行うこともでき、あるいは非コヒーレントに行うこともできる。
【０００４】
コヒーレント復調用の代表的なＦＳＫ受信機の構成を図１に示す。アンテナで受信された信号は、バンドパスフィルタでフィルタリングされた後、低雑音増幅器（low noise amplifier、以下、ＬＮＡと略す）によって増幅される。そして、増幅された信号はダウンコンバータに供給され、搬送波周波数が低い値に変換される。ダウンコンバータには種々の形式のものがあり、場合によってはダウンコンバータを省略できることもある。そして、ダウンコンバータの出力信号は分割され、各成分に異なる発振周波数が混合される。図１の２値ＦＳＫ受信機の場合、ダウンコンバートされた信号は２つの成分に分割され、一方の成分に発振周波数Ｆ１が混合され、他方の成分に発振周波数Ｆ２が混合される。各混合成分は、別々の積分器に供給され、積分器の出力が比較され、正しいサンプリング時間にシンボル値が決定される。
【０００５】
非コヒーレントＦＳＫ受信機では、図２に示すように、例えば、位相コヒーレント発振器の代わりに、ベースバンドのフィルタを使用する。同期検波とは対照的に、シンボル値の決定は、コヒーレント受信機の積分器の出力ではなく、検波されたベースバンドの包絡線に基づいて行われる。
【０００６】
デジタルメッセージの伝送に使用される周波数が２つだけではなくＭ個ある場合、変調方式はＭ−ａｒｙＦＳＫ変調となり、伝送される可能性のある信号がＭ個ある。デジタルメッセージを変調するのに使用される周波数の数Ｍは、Ｍ−ａｒｙＦＳＫ変調方式によって変調されるデジタルメッセージに対して可能なシンボル値の最大数を定める。しかしながら、バイナリデジタルメッセージのみを変調すると、伝送周波数の数が増加することから帯域幅が広くなり、これにより、伝送データレートが増大する。
【０００７】
現在、様々なＦＳＫ変調技術、例えば国際特許出願０３／０２８８２５５に記載されているような位相連続ＦＳＫ（Continuous Phase FSK、以下、ＣＰＦＳＫと略す）変調、サンドＦＳＫ（Sunde's FSK）変調、Ｍ−ａｒｙ直交ＦＳＫ（M-ary Orthogonal FSK）変調等が知られている。ＣＰＦＳＫ変調は、ＦＳＫ変調の一形式であり、伝送信号に位相の不連続性が存在しない。このため、送信機は、データストリームによって変調される単一の発振器として実現することができる。個々のシンボル値を表すのに用いる周波数の分離に応じて、各方式は狭帯域方式又は広帯域方式と呼ばれる。サンドＦＳＫ変調では、２つのシンボル値を表すために２つの周波数を用い、周波数の分離はデータレートの逆数となる。Ｍ−ａｒｙ直交ＦＳＫ変調では、Ｍ個の周波数を用い、周波数の分離はデータレートの逆数となっている。
【０００８】
周知のＦＳＫ通信方式では、シンボル値に対する伝送周波数の固定割当てを用いているので、特に搬送波のマルチパス伝播に対する信号干渉や高いビット誤り率を生じる虞がある。
【発明の開示】
【発明が解決しようとする課題】
【０００９】
したがって、本発明の目的は、ビット誤り率を低減するＦＳＫ変調技術を提供することである。
【課題を解決するための手段】
【００１０】
上述の目的は、独立請求項に定義される発明により達成される。本発明の有利な実施形態は他の請求項の主題となる。
【００１１】
本発明では、一連のシンボルにより構成されるデジタルメッセージを周波数帯域のセットに対応させることを可能にする周波数変調方法を提供する。ここで、デジタルメッセージの各シンボルには、所定のシンボル値のセットから１つのシンボル値のみが割り当てられる。この周波数変調方法によれば、少なくとも２つのシンボル伝送チャンネルが定義され、各シンボル伝送チャンネルは、周波数帯域のセットから選択される周波数帯域のサブセットにより構成され、シンボル伝送チャンネルの各周波数帯域は、定義されたシンボル伝送チャンネルが、少なくとも１つの選択された周波数帯域において及び／又はシンボル値に対する周波数帯域の割当てにおいて互いに異なるように、１対１の関係でシンボル値のセットのシンボル値に割り当てられる。さらに、定義されたシンボル伝送チャンネルは、それぞれ、各シンボル伝送チャンネルのチャンネル割当方式に従って、デジタルメッセージの単一のシンボル値により連続的に変調される。
【００１２】
本発明は、さらに、周波数偏移変調送信機用及び周波数偏移変調受信機用の変換コントローラを提供し、この変換コントローラは、シンボル伝送チャンネル定義手段と、割当手段と、出力手段とを備える。シンボル伝送チャンネル定義手段は、各シンボル伝送チャンネルが周波数帯域のセットから選択される周波数帯域からなるサブセットにより構成される、少なくとも２つのシンボル伝送チャンネルを定義する。割当手段は、定義されたシンボル伝送チャンネルが、少なくとも１つの選択された周波数帯域において及び／又はシンボル値に対する周波数帯域の割当てにおいて互いに異なるように、１対１の関係でシンボル伝送チャンネルの各周波数帯域をシンボル値のセットのシンボル値に割り当てることを可能にする。出力手段は、制御信号を発振器に出力し、その発振周波数を、各シンボル伝送チャンネルの変調に使用される周波数帯域の中心周波数に調整する。
【００１３】
上述の周波数編著方法及び変換コントローラによって、周波数ダイバーシティ及び干渉ダイバーシティが改善された新たな形式の周波数偏移変調を可能にする。
【００１４】
状況に応じた最適周波数変化を行う周波数ホッピングを達成するため、定義されたシンボル伝送チャンネルの変調の際の使用順序が定められ、各シンボル伝送チャンネルは、好ましくは、定められた使用順序に従って連続的に変調される。
【００１５】
定義されたシンボル伝送チャンネルは、さらに好ましくは、定義されたシンボル伝送チャンネルの数を超えるデジタルメッセージ内のシンボル数に対して、デジタルメッセージのシンボル値による変調を行うために再使用される。通常、ここでは、定義されたシンボル伝送チャンネルは、定義されたシンボル伝送チャンネルをデジタルメッセージの最初のシンボル値で変調するのに使用された順序で再使用されるが、同じ場所に配置され、同じ周波数帯域のセットを使用する通信システムとの問題が生じる場合があるため、定義されたシンボル伝送チャンネルをデジタルメッセージの最初のシンボル値で変調するのに使用された順序とは異なる順序で、定義されたシンボル伝送チャンネルを再使用することもできる。
【００１６】
特に超広帯域通信システムにおいて本発明を実現する場合、ベースバンド整形パルス信号を、各信号シンボル値に割り当てられた各シンボル伝送チャンネルの周波数帯域にアップコンバートすることにより、単一のシンボル値による１つの定義されたシンボル伝送チャンネルの変調が効果的に行われる。ここで、ベースバンド整形パルス信号の帯域幅は、好ましくは、アップコンバートされる周波数帯域に対して定められた帯域幅に対応する。
【００１７】
一定帯域幅のベースバンド信号の使用を可能にするため、周波数帯域のセットにおける２つの周波数帯域の帯域幅は、好ましくは、ほぼ同一となるように設定される。全ての周波数帯域について一定の自己相関特性を得ることに重点を置く場合、周波数帯域のセットにおける２つの周波数帯域の等リップル比帯域幅は効果的にほぼ同一に維持される。
【００１８】
さらに、１つの周波数帯域に対して定められた２つのサブチャンネルの位相角が異なるように、周波数帯域のセットにおける１つの周波数帯域について少なくとも２つのサブチャンネルを定めることにより、変調の可能性を高めることができる。これは、各周波数帯域について異なる位相角を有する少なくとも２つのサブチャンネルを定めるサブチャンネル定義手段を備える変換コントローラのシンボル伝送チャンネル定義手段と、さらには、１つのサブチャンネルについて定められた位相角に従って発振器の位相を制御する出力手段により、効果的に達成される。
【発明を実施するための最良の形態】
【００１９】
以下、具体的な実施形態を用い、図面を参照し、本発明について詳細に説明する。
【００２０】
マルチバンド変調方式では、信号搬送波にデジタルメッセージを対応させる（imprint）ために、複数の搬送波周波数を用いる。２つの搬送波周波数Ｆ１、Ｆ２を用いる２値周波数偏移（binary frequency shift keying、以下、ＢＦＳＫと略す）変調で使用されている従来の周波数割当方式を、以下の表１に示す。ここでは、デジタルメッセージはフレームで構成され、各フレームはシンボル期間Ｔｓを有する所定数のシンボルからなることを想定している。
【００２１】
【表１】
2005304029.tif 000003
【００２２】
従来技術とは異なり、本発明では、特定の周波数帯域へのシンボル値の割当てをシンボル期間毎に変えている。これは、それぞれのｎ要素が、異なるｎ個の周波数帯域の数を特徴ある方法で許容可能なｎ個のシンボル値に関連付けるｎ要素からなるセットを定めることにより達成される。そして、このセットにおける異なるｎ要素は、デジタルメッセージのシンボルを変調するのに連続して使用される。セットにおけるｎ要素の数は、好ましくは、フレームサイズ、すなわち１つのフレームに含まれるシンボルの数に対応している。デジタルメッセージを変調する際、各フレームに対して所定のｎ要素のセットを繰り返し使用して、各周波数帯域が実質的にスタガ配置（staggered arrangement）になるようにする。このため、それぞれの周波数偏移変調を、周波数スタガ周波数偏移（frequency staggered frequency shift keying、以下、ＦＳ−ＦＳＫと略す）変調と呼ぶ。
【００２３】
各ｎ要素における周波数帯域のセットは、デジタルメッセージの変調に完全に使用可能な周波数帯域のセットのサブセットを表す。１つの周波数帯域のサブセットと、単一のシンボル値に対するこれらの周波数帯域の割当てとを含む１つのｎ要素を、以下、シンボル伝送チャンネルと呼ぶ。
【００２４】
本発明に係るＦＳ−ＦＳＫ変調の周波数割当方式の具体例を表２に示す。この方式では、２−ａｒｙＦＳＫ変調を使用し、「Ｍ」＝２は、変調に使用される周波数帯域の総数ではなく、シンボル伝送チャンネルの周波数帯域数を指定している。この具体例におけるフレームサイズ「Ｎ」は４シンボルであり、変調に使用される周波数帯域の総数「Ｃ」は８となり、Ｃ＝Ｍ×Ｎの条件が満たされる。各シンボルの周期はＴｓ秒の継続時間であり、８つの異なる周波数帯域をＦ１、Ｆ２、Ｆ３、Ｆ４、Ｆ５、Ｆ６、Ｆ７、Ｆ８として示す。
【００２５】
【表２】
2005304029.tif 000004
【００２６】
表２に示す割当方式によれば、第１のデータフレーム「フレーム１」のシンボル期間Ｔｓにおける第１のシンボル値が「０」である場合、周波数帯域Ｆ１がアクティブ化され、すなわち、この周波数帯域にのみ、かつ、その時間にのみに信号が存在する。また、シンボル値が「１」の場合、周波数帯域Ｆ２がアクティブ化される。第２のシンボル期間２Ｔｓでは、シンボル値「０」の場合にＦ３がアクティブ化され、シンボル値が「１」の場合にＦ４がアクティブ化される。シンボル期間３Ｔｓでは、周波数帯域Ｆ５又はＦ６がアクティブ化され、続くシンボル期間では、Ｆ７又はＦ８がアクティブ化される。ここで説明した割当方式を、次のデータフレーム及びそれ以降のデータフレームに対しても繰り返す。
【００２７】
表２に示した具体例では、Ｃ＝Ｍ×Ｎの条件が満たされるが、ＦＳ−ＦＳＫ変調は、Ｃ＜Ｍ×ＮあるいはＣ＞Ｍ×Ｎの場合にも同様に実現することができる。Ｃ＜Ｍ×Ｎの具体例を表３に示す。この具体例における４つの周波数帯域の数Ｃは、利用可能なＭ＝２シンボル値とフレームサイズＮ＝４シンボルとの積よりも小さいので、４つの周波数帯域は、１つのフレーム内で２回使用される。ここでは、あるシンボル値に対する周波数帯域の割当ては固定的でなく、異なるシンボル伝送チャンネルにおいて１つの周波数帯域を使用することによって、すなわち主としてフレーム内のシンボルを変調するのに使用される順序によって変化する。表３に示す具体例では、周波数帯域Ｆ１は、例えば、フレーム内の第１のシンボルに対してシンボル値「０」を表すとともに、フレーム内の最終シンボルに対してシンボル値「１」を表すのに使用される。
【００２８】
【表３】
2005304029.tif 000005
【００２９】
４つのシンボルからなるフレームサイズに基づく４−ａｒｙＦＳ−ＦＳＫ変調の具体例を表４に示す。合計１２個の周波数帯域Ｆ１〜Ｆ１２を使用して変調を行う。ここでも、各シンボルのシンボル期間はｔ＝Ｔｓに設定され、フレーム毎に同じ順序で周波数帯域を繰り返して選択する。
【００３０】
【表４】
2005304029.tif 000006
【００３１】
各フレームに対して固定された順序で周波数帯域を使用するのではなく、周波数帯域の順序をフレーム毎に変更することもできる。これは、例えば、好ましくは、現のフレームのシンボル伝送チャンネルの周波数帯域が、前のフレームの対応するシンボル伝送チャンネルにおいて使用された対応する周波数帯域に対して一定の周波数オフセットを有するように、フレーム毎に周波数帯域を巡回させることによって行われる。なお、他のマッピング方式、すなわち、いろいろなシンボル伝送チャンネルにおいて、シンボル値に対する周波数チャンネルの割当てをフレーム毎に変える方式を用いることもできる。ここでは、使用するマッピング方式は、好ましくは、隣接チャンネル間の混信、及び／又は採用された周波数帯域の総和によって定められるのと同じ信号伝送チャンネル又はその一部を使用する、異なる通信システム間のクロストークを最小にするように調整される。各ＦＳ−ＦＳＫ変調では、周波数偏移変調の利点と周波数ホッピングの利点とを組み合わせており、さらに、シンボル伝送チャンネルのセットをフレーム毎に変えることにより、シンボル伝送チャンネルの各セットにおける周波数帯域間の間隔がシンボル期間毎に変化する。
【００３２】
なお、ここで提案する周波数スタガＦＳＫ変調は、従来のあらゆる周波数偏移変調、例えば位相連続ＦＳＫ（Continuous FSK）変調、サンドＦＳＫ（Sunde's FSK）変調、直交ＦＳＫ（Orthogonal FSK）変調等と組み合わせて使用することができる。ここで、デジタルメッセージに必要な帯域幅全体は、周波数帯域の数Ｃに比例し、さらに、使用される各周波数帯域の間隔に依存する。
【００３３】
ＦＳ−ＦＳＫ変調は、好ましくは、超広帯域（ultra wide band、以下、ＵＷＢと略す）通信システムにおいて使用される。
【００３４】
ＵＷＢシステムは、非常に広い帯域幅を使用するシステムである。過去において、このようなシステムは軍事用に使用されるだけであった。しかし、２００２年に米国連邦通信委員会（Federal Communications Commission、以下、ＦＣＣと略す）は、民生用の超広帯域用途として３．１〜１０．６ＧＨｚ帯を使用することを許可した。さらに、ＦＣＣは、超広帯域信号は、少なくとも５００ＭＨｚの帯域幅を占有するか、あるいは０．２５より大きな等リップル比帯域幅（fractional bandwidth）を有していなければならないと定めた。ＵＷＢ通信システムは、無線マルチメディアストリームや無線ビデオ接続等の広帯域無線用途のために、約１０ｍまでの短距離で１１０Ｍｂｐｓを超える非常に高いデータレートを提供する。このような最大７．５ＧＨｚの広帯域幅を達成するため、短パルス、チャープ変調、周波数ホッピング等、種々の方法が存在する。
【００３５】
代表的なパルス発生超広帯域システムでは、短パルスを伝送した後、次のパルスを伝送するまで何も伝送しないギャップがある。パルスとパルスの間の時間的なギャップを含むパルスが送信されるレートは、パルス繰返し周波数（pulse repetition frequency、以下、ＰＲＦと略す）として知られている。このようなＵＷＢシステムのパルスが非常に広い１つの帯域を占有する場合、これらのシステムは、シングルバンドＵＷＢシステムと呼ばれる。パルスが５００ＭＨｚを超える幾つかの狭い帯域を占有する場合、これらのシステムはマルチバンドＵＷＢシステムと呼ばれる。
【００３６】
図３は、マルチバンドＵＷＢ送信機の具体的構成を示すブロック図である。インパルス発生器は、例えばローパスフィルタ又はバンドパスフィルタを用いて実現されるパルス整形フィルタにインパルス信号を供給する。パルス整形フィルタの出力は、パルス整形インパルス信号である。ミキサは、パルス整形インパルス信号を、動作中心周波数を有する所望の周波数帯域にアップコンバートする。ミキサの出力端におけるＵＷＢ信号の帯域幅は、パルス整形フィルタの帯域幅によって決定される。ＵＷＢ信号の中心周波数及び瞬時位相は、発振器の制御信号によって制御することができる。ミキサの出力端にＲＦバンドパスフィルタを設け、望ましくない又は帯域外の周波数成分及び／又はミキサの雑音を除去し、アンテナを介して送信を行う。ＵＷＢ送信機についてのより詳細な説明は、例えば米国特許６，０２６，１２５に記載されている。
【００３７】
図３に示す発振器の中心周波数を調整できるようにすることによって、周波数ホッピングを採用したＵＷＢ通信システムを実現することができる。図３に示すパルス整形フィルタの具体的なインパルス応答は、ガウス窓に類似している。数学的には、ガウス窓ｗ（ｔ）は以下のように定義される。
【００３８】
【数１】
2005304029.tif 000007
【００３９】
ここで、ｔ＝０はパルスウィンドウの中心を定義し、σは標準偏差である。
【００４０】
特定の周波数帯域にアップコンバートするためのベースバンド信号を準備するために、通常、ベースバンド信号に、それぞれの周波数帯域の中心周波数に対応した周波数を有する正弦波信号を乗算する。マルチバンドＵＷＢ通信システムでは、正弦波信号に、数式（１）に基づいてガウス窓を乗算することによって、対応する周波数帯域上のパルス信号を得る。この混合を数学的に記述すると以下の式になる。
【００４１】
【数２】
2005304029.tif 000008
【００４２】
ｘ（ｔ）はミキサの出力端における信号を表し、ｓ（ｔ）は周波数が調整可能な発振器の正弦波信号であり、ｗ（ｔ）は数式（１）に定義されるガウス窓を表す。
【００４３】
固定帯域幅の場合、ガウス窓の標準偏差σは、全ての周波数帯域について同じである。図４に、異なる中心周波数ｆｌｏｗ、ｆｍｅｄｉｕｍ、ｆｈｉｇｈを有する３つのアップコンバートされたパルスを示す。これらのパルスは、図３のミキサとバンドパスフィルタとの間で観測されるものである。３つのパルスは全て同じ継続時間を有するので、これらは全て、異なる周波数において同じ帯域幅を占有している。この長さが等しいパルスは、固定帯域幅のサブバンドを有するシステムにおいて使用される。
【００４４】
また、異なる帯域幅を有するが、一定の等リップル比帯域幅（fractional bandwidth）を有する周波数帯域を使用することもできる。周波数帯域の等リップル比帯域幅は、その中心周波数に対して正規化された周波数帯域の帯域幅で定義される。周波数帯域の等リップル比帯域幅を一定に保つことにより、高い中心周波数を有する周波数帯域については広い帯域幅が得られるので、周波数帯域上で伝送される信号の自己相関特性は、使用される周波数帯域によっては変化しない。
【００４５】
従来の一般的なマルチバンド通信システムでは、一度に１つのパルスのみを周波数帯域上にアップコンバートする。これを、７つの周波数帯域伝送チャンネルとして図５に示す。デジタルメッセージのシンボルは、通常、バイナリ的に変調され、すなわち、シンボル伝送チャンネルは、２つの異なる周波数帯域を有し、例えば図６に示すように、合計７つの周波数帯域を使用する２−ａｒｙＦＳ−ＦＳＫ変調の場合、一方の周波数帯域は、第１のシンボル値を変調するためのものであり、他方の周波数帯域は、第２のシンボル値を変調するためのものでる。
【００４６】
図６の具体例に示すように、第１のシンボル伝送チャンネルの周波数帯域Ｆ１は、第１のフレームにおいてシンボル値「１」を搬送する第１のシンボルに対してアクティブ化され、周波数帯域Ｆ２は、シンボル値「０」を有するシンボルに対してアクティブ化される。図６の周波数アクティブ化方式に対応した割当方式の概要を表５に示す。
【００４７】
【表５】
2005304029.tif 000009
【００４８】
図６及び表５を参照して例示的に説明した原理に対応するＦＳ−ＦＳＫ変調システムの変調の可能性は、さらに、情報コンテンツ、すなわちデジタルメッセージの連続したシンボル値を搬送するために位相偏移（phase shift keying、以下、ＰＳＫと略す）変調を導入することによって、拡張することができる。２−ＰＳＫ変調を拡張した図６の２−ａｒｙＦＳ−ＦＳＫ変調方式を図７に示す。図７に示す具体例では、２つの位相、すなわち位相角は、それぞれの周波数帯域において同相チャンネルと直交チャンネルを定めるπ／２ラジアンだけ異なっている。それぞれの変調方式をπ／２ＦＳ−ＦＳＫ変調と呼ぶ。
【００４９】
【表６】
2005304029.tif 000010
【００５０】
表６に示す具体例では、シンボル値「１」は、常に周波数帯域の同相チャンネルをアクティブ化し、シンボル値「０」は、常に周波数帯域の直交チャンネルをアクティブ化する。図７のフレームにおけるシンボル値のマッピングの概略を、表６の割当方式に示す。ここでは、Ｑ−Ｃｈは直交チャンネルを表し、Ｉ−Ｃｈは同相チャンネルを表す。
【００５１】
このようにして、全ての周波数帯域の各チャンネルがデータフレーム内で１回のみ使用されることから、チャンネルの周波数間隔が改善される。上述のように、ＦＳ−ＦＳＫ変調では、割当方式をフレーム毎に繰り返すか変更することができる。この変更が決定論的に行われる場合、受信機が送信機と同期する直ちに、受信機側ではシンボル伝送チャンネルの定義及びそれらの順序がわかる。シンボル伝送方式の変更が非決定論的に起こる場合、例えば同じ場所に配置された２つのＵＷＢ通信システムのクロストークに対応するために、新たな順序及び／又はシンボル伝送チャンネルの定義をデジタルメッセージ自体の一部として交換すればよい。
【００５２】
ＦＳ−ＦＳＫ変調又はπ／２ＦＳ−ＦＳＫ変調を実現するために、ＦＳＫ変調送信機のアップコンバーション発振器のアップコンバージョン周波数を制御し、π／２ＦＳ−ＦＳＫ変調の場合は発振器の位相も制御する変換コントローラを提案する。受信機側では、変換コントローラは、ベースバンド信号へのダウンコンバートに使用する発振器の混合周波数及び位相を制御する。非コヒーレント受信機の場合、変換コントローラは、現在のシンボルの伝送に使用されているシンボル伝送チャンネルに応じてバンドパスフィルタの特性を切り換える。
【００５３】
変換コントローラは、デジタルメッセージのシンボル値によって変調されるシンボル伝送チャンネルを決めるシンボル伝送チャンネル定義手段を備えている。各シンボル伝送チャンネルは、使用可能な周波数帯域のセット全体から選択される周波数帯域のサブセットにより構成される。シンボル伝送チャンネル定義手段は、少なくとも２つの異なるシンボル伝送チャンネルを定める。
【００５４】
変換コントローラは、さらに、シンボル値のセットにおけるシンボル値に対する、シンボル伝送チャンネルにおける各周波数帯域の１対１の割当てを定める割当手段を備えている。この割当ては、少なくとも１つの選択された周波数帯域において及び／又はシンボル値に対する周波数帯域の割当てにおいて、定義されたシンボル伝送チャンネルが互いに異なることを確実にする割当方式に基づいて行われる。
【００５５】
ＦＳ−ＦＳＫ変調又は復調を行うために、変換コントローラは、さらに、発振器に制御信号を出力する出力手段を備えている。制御信号は、発振器の発振周波数を、各シンボル伝送チャンネルの変調に使用される周波数帯域の中心周波数に調整する。
【００５６】
上述のπ／２ＦＳ−ＦＳＫ変調／復調の場合のように、ＦＳ−ＦＳＫ変調を位相偏移変調と組み合わせる場合、シンボル伝送チャンネル定義手段は、さらに、サブチャンネルに対して定められた位相角がそれぞれ異なるように、各周波数帯域上に複数のサブチャンネルを定めるサブチャンネル定義手段を備えている。好ましくは、π／２に対応する位相角を有するバイナリデジタル信号に対しては２つのサブチャンネルのみを定め、異なるシンボル伝送チャンネルにおける使用とは無関係に、各周波数帯域に対してサブチャンネルを定める。したがって、この出力は、発振器の周波数を制御するだけでなく、シンボル値の変調又は復調に使用されるサブチャンネルに対して位相も制御する位相制御を含んでいる。
【００５７】
提案するＦＳ−ＦＳＫ変調、及びその拡張的実施形態であるπ／２ＦＳ−ＦＳＫ変調は、ＵＷＢ通信システムにおいて容易に実現される単純な変調方式を提供する。本発明の一実施形態に係る割当方式を制御するには、発振器用の周波数及び／又は位相コントローラのみしか必要とされない。ＦＳ−ＦＳＫ受信機はコヒーレント受信機としても非コヒーレント受信機としても実現可能であるが、π／２ＦＳ−ＦＳＫ変調方式の場合、コヒーレント受信機が必要である。本発明に係る両変調方法の主な利点は、周波数ホッピングを導入することにより、周波数ダイバーシティ及び干渉ダイバーシティを大きくすることができる点である。したがって、セルラやマルチネット動作における干渉の問題を大幅に軽減することができる。
【図面の簡単な説明】
【００５８】
【図１】周波数偏移変調用の一般的なコヒーレント受信機の構成を示すブロック図である。
【図２】周波数偏移変調用の非コヒーレント受信機の構成を示すブロック図である。
【図３】マルチバンド超広帯域（ultra wide band、以下、ＵＷＢと略す）送信機の構成を示すブロック図である。
【図４】異なる中心周波数を有するＵＷＢシステムのパルスを示す図である。
【図５】従来技術によるパルス伝送順序を示す図である。
【図６】本発明に適用した、７つの周波数帯域からなるセットについてのシンボル伝送チャンネル定義の具体例を示す図である。
【図７】本発明を適用した、周波数帯域のセットにおける各周波数帯域についてサブチャンネルを定めるシンボル伝送チャンネル定義の更なる具体例を示す図である。
【図１】
2005304029.tif 000011
【図２】
2005304029.tif 000012
【図３】
2005304029.tif 000013
【図４】
2005304029.tif 000014
【図５】
2005304029.tif 000015
【図６】
2005304029.tif 000016
【図７】
2005304029.tif 000017
【外国語明細書】
2005304029000001.pdf
2005304029000002.pdf
2005304029000003.pdf
2005304029000004.pdf